(57)【要約】【課題】電話網からの着信に対して無線端末での応答が不要となって呼び出しを中止する場合でも、当該着信の履歴を無線端末に記録する。【解決手段】呼制御部１４Ｂが、電話網ＮＷ１からの着信に応じて通信回線を用いて無線端末３０へ呼出メッセージを送信した後、この呼出メッセージに応じて当該無線端末３０から呼出中メッセージが返送される前に、電話網ＮＷ１から当該着信について着信中止が通知された場合、当該無線端末３０から返送された呼出中メッセージの受信を確認した後、当該呼出メッセージに応じた呼び出しを中止するための切断メッセージを当該無線端末３０へ送信する。【選択図】  図１
2014120970.tif 000002
【特許請求の範囲】
【請求項１】
無線通信網を介して接続した無線端末を、電話網と接続された複数の通話回線に対して交換接続する電話制御装置であって、
前記無線通信網を介して前記無線端末との間で通信回線を確立する網Ｉ／Ｆ部と、
前記電話網からの着信に応じて、前記無線端末に当該着信を通知する呼出メッセージを、前記通信回線を用いて前記無線通信網へ送信した後、この呼出メッセージに応じて当該無線端末での呼出中を示す呼出中メッセージが当該無線通信網から返送される前に、前記電話網から当該着信について着信中止が通知された場合には、この後の当該呼出中メッセージの受信確認に応じて、当該無線端末の呼び出しを中止するための切断メッセージを当該無線通信網へ送信する呼制御部と
を備えることを特徴とする電話制御装置。
【請求項２】
請求項１に記載の電話制御装置において、
前記呼制御部は、前記着信時に前記無線端末が圏外に位置していて当該呼出メッセージの送信を中止した場合には、前記着信中止が通知された後、前記網Ｉ／Ｆ部により当該無線端末との間で前記通信回線が確立された時点で、前記呼出メッセージを前記無線通信網へ送信し、これに応じた前記呼出中メッセージの受信確認に応じて前記切断メッセージを送信することを特徴とする電話制御装置。
【請求項３】
請求項１または請求項２に記載の電話制御装置において、
前記呼制御部は、前記着信時に前記無線端末が当該電話制御装置を介して通話中であり前記呼出メッセージの送信を中止した場合には、前記着信中止が通知された後、当該無線端末の前記通話が終了した時点で、前記呼出メッセージを当該無線端末へ送信し、これに応じた前記呼出中メッセージの受信確認に応じて前記切断メッセージを送信することを特徴とする電話制御装置。
【請求項４】
請求項１〜請求項３のいずれか１つに記載の電話制御装置において、
前記呼制御部は、前記着信に応じて前記無線端末へ送信した前記呼出メッセージに応じて、前記無線通信網から当該無線端末が通話中であることを示す話中メッセージを受信した場合には、前記着信中止が通知された後、前記通信回線を介して当該無線端末から着信問合せメッセージが通知された時点で、当該無線端末に前記着信を通知する新たな呼出メッセージを前記無線通信網へ送信し、これに応じた前記呼出中メッセージの受信確認に応じて前記切断メッセージを送信することを特徴とする電話制御装置。
【請求項５】
請求項２〜請求項４のいずれか１つに記載の電話制御装置において、
前記呼制御部は、前記着信が通知された着信日時と、前記着信の通知から前記着信中止までの着信時間とを計時し、前記電話網からの前記着信中止の通知後に前記呼出メッセージを前記無線端末へ送信する際、これら着信日時および着信時間を当該呼出メッセージにより当該無線端末へ通知することを特徴とする電話制御装置。
【請求項６】
コンピュータを、請求項１〜請求項５のいずれか１つに記載の電話制御装置を構成する各部として機能させるためのプログラム。
【発明の詳細な説明】
【技術分野】
【０００１】
本発明は、電話制御技術に関し、特に電話網からの着信に関する着信履歴を、電話制御装置に収容されている無線端末に記録するための呼制御技術に関する。
【背景技術】
【０００２】
従来、ビジネスホンやＰＢＸシステムなどの電話システムでは、主装置やＰＢＸからなる電話制御装置において、無線通信網を介してスマートフォンや携帯電話などの無線端末と接続し、当該無線端末に対して、内線端末と同様の機能を提供する技術が提案されている（例えば、特許文献１など参照）。
【先行技術文献】
【特許文献】
【０００３】
【特許文献１】特開２００２−１０１４３７号公報
【発明の概要】
【発明が解決しようとする課題】
【０００４】
このような従来技術にかかる電話システムでは、内線端末と同様に、電話網からの着信を、電話制御装置と接続されている無線端末にも通知することができる。このような無線端末への着信通知機能は、例えば、内線端末および無線端末からなる端末グループを着信先として指定した、電話網からのグループ着信に応じて、当該端末グループに含まれる内線端末および無線端末へ着信を通知する場合や、離席時に内線端末への着信を無線端末へ転送するよう設定した場合などに用いられる。
【０００５】
ここで、従来技術にかかる電話システムでは、無線端末に着信を通知する場合、まず、電話制御装置で空き回線を捕捉し、無線電話網を介して無線端末を呼び出すことになる。
この際、無線通信網で輻輳が発生している場合、あるいは、無線端末が電波圏外や電波が届きにくい場所に位置している場合には、呼び出しに遅れが生じる。また、空き回線がない場合、空き回線が発生するまで待機することになり、呼び出しに遅れが生じる。また、無線端末が通話中の場合には、着信を通知できない。
【０００６】
このような、無線端末の呼び出し時にある程度の遅れが生じた場合や着信を通知できない場合、電話網からの着信に対して無線端末での応答が不要となって、電話制御装置から無線端末の呼び出しを中止する場合がある。
例えば、発側端末で発信中止操作が行われた場合、電話制御装置は、これに応じた電話網からの着信中止に応じて、無線端末の呼び出しを中止する。また、無線端末と並行して呼び出している内線端末で先に応答した場合も、無線端末の呼び出しを中止する。
したがって、このような無線端末に対する呼び出しの中止により、無線端末に対する不要な呼び出しを回避することができる。
【０００７】
しかしながら、電話網からの着信に対して無線端末での応答が不要となって、無線端末に対する呼び出しを中止した場合、無線端末には電話網からの着信に関する着信履歴が記録されない場合がある。
すなわち、無線端末における着信履歴は、一般的な電話装置と同様に、呼び出しが無線端末まで届いて初めて無線端末で着信履歴が記録されるため、呼び出しの中止により、無線端末に呼び出しが届かなかった場合、無線端末では着信履歴が記録されないことになる。したがって、無線端末利用者は、電話網からの着信があったことを知ることができず、当該着信に対する適切な対応をとることができなくなる。
【０００８】
本発明はこのような課題を解決するためのものであり、電話網からの着信中止に応じて無線端末の呼び出しを中止する場合でも、無線端末において当該着信の履歴を確実に記録させることができる呼制御技術を提供することを目的としている。
【課題を解決するための手段】
【０００９】
このような目的を達成するために、本発明にかかる電話制御装置は、無線通信網を介して接続した無線端末を、電話網と接続された複数の通話回線に対して交換接続する電話制御装置であって、前記無線通信網を介して前記無線端末との間で通信回線を確立する網Ｉ／Ｆ部と、前記電話網からの着信に応じて、前記無線端末に当該着信を通知する呼出メッセージを、前記通信回線を用いて前記無線通信網へ送信した後、この呼出メッセージに応じて当該無線端末での呼出中を示す呼出中メッセージが当該無線通信網から返送される前に、前記電話網から当該着信について着信中止が通知された場合には、この後の当該呼出中メッセージの受信確認に応じて、当該無線端末の呼び出しを中止するための切断メッセージを当該無線通信網へ送信する呼制御部とを備えている。
【００１０】
また、本発明にかかる上記電話制御装置の一構成例は、前記呼制御部が、前記着信時に前記無線端末が圏外に位置していて当該呼出メッセージの送信を中止した場合には、前記着信中止が通知された後、前記網Ｉ／Ｆ部により当該無線端末との間で前記通信回線が確立された時点で、前記呼出メッセージを前記無線通信網へ送信し、これに応じた前記呼出中メッセージの受信確認に応じて前記切断メッセージを送信するようにしたものである。
【００１１】
また、本発明にかかる上記電話制御装置の一構成例は、前記呼制御部が、前記着信時に前記無線端末が当該電話制御装置を介して通話中であり前記呼出メッセージの送信を中止した場合には、前記着信中止が通知された後、当該無線端末の前記通話が終了した時点で、前記呼出メッセージを当該無線端末へ送信し、これに応じた前記呼出中メッセージの受信確認に応じて前記切断メッセージを送信するようにしたものである。
【００１２】
また、本発明にかかる上記電話制御装置の一構成例は、前記呼制御部が、前記着信に応じて前記無線端末へ送信した前記呼出メッセージに応じて、前記無線通信網から当該無線端末が通話中であることを示す話中メッセージを受信した場合には、前記着信中止が通知された後、前記通信回線を介して当該無線端末から着信問合せメッセージが通知された時点で、当該無線端末に前記着信を通知する新たな呼出メッセージを前記無線通信網へ送信し、これに応じた前記呼出中メッセージの受信確認に応じて前記切断メッセージを送信するようにしたものである。
【００１３】
また、本発明にかかる上記電話制御装置の一構成例は、前記呼制御部が、前記着信が通知された着信日時と、前記着信の通知から前記着信中止までの着信時間とを計時し、前記電話網からの前記着信中止の通知後に前記呼出メッセージを前記無線端末へ送信する際、これら着信日時および着信時間を当該呼出メッセージにより当該無線端末へ通知するようにしたものである。
【００１４】
また、本発明にかかるプログラムは、コンピュータを、前述したいずれか１つの電話制御装置を構成する各部として機能させるためのプログラムである。
【発明の効果】
【００１５】
本発明によれば、電話網からの着信中止に応じて直ちに無線端末に対して切断メッセージが送信されるのではなく、無線端末での呼出中状態を示す呼出中メッセージの受信確認に応じて切断メッセージが送信されて、当該着信の中止が無線端末に通知される。
したがって、無線端末では、無線通信網からの着信メッセージに応じて、呼出中メッセージを返送するとともに着信履歴を記録した後、無線通信網から切断メッセージが届くことになる。このため、電話網からの着信中止に応じて無線端末の呼び出しを中止する場合でも、無線端末において当該着信の履歴を確実に記録させることが可能となる。
【図面の簡単な説明】
【００１６】
【図１】第１の実施の形態にかかる電話制御装置の構成を示すブロック図である。
【図２】通話回線の回線状態を示すステータスデータの構成例である。
【図３】無線端末に関する設定データの構成例である。
【図４】無線端末に関する在圏情報の構成例である。
【図５】第１の実施の形態にかかる無線端末の構成を示すブロック図である。
【図６】第１の実施の形態にかかる電話制御装置および無線端末の動作を示すシーケンス図である。
【図７】第２の実施の形態にかかる電話制御装置および無線端末の動作を示すシーケンス図である。
【図８】無線端末で記録される着信履歴の構成例である。
【図９】第３の実施の形態にかかる電話制御装置および無線端末の動作を示すシーケンス図である。
【図１０】第４の実施の形態にかかる電話制御装置および無線端末の動作を示すシーケンス図である。
【発明を実施するための形態】
【００１７】
次に、本発明の実施の形態について図面を参照して説明する。
［第１の実施の形態］
まず、図１を参照して、本発明の第１の実施の形態にかかる電話制御装置１０について説明する。図１は、第１の実施の形態にかかる電話制御装置の構成を示すブロック図である。
この電話制御装置１０は、ビジネスホンやＰＢＸシステムなどの電話システム１において、主装置やＰＢＸとして用いられる電話制御装置からなり、回線Ｌ１を介して電話網ＮＷ１と接続するとともに、回線Ｌ２を介して無線通信網ＮＷ２と接続し、内線回線２１を介して収容した複数の内線端末２０を、回線Ｌ１，Ｌ２に対して交換接続する機能を有している。
【００１８】
電話網ＮＷ１は、ＰＳＴＮ（Public Switched Telephone Network）、ＩＳＤＮ（Integrated Services Digital Network）、ＩＰ電話網などの一般的な電話網からなる。相手端末４０は、電話網ＮＷ１に接続された一般的な端末である。
【００１９】
無線通信網ＮＷ２は、３Ｇ（3rd Generation）などの携帯通信網、無線ＬＡＮを用いたＷｉ−Ｆｉ（Wireless Fidelity）、ＷｉＭＡＸ（Worldwide Interoperability for Microwave Access）などの一般的な無線通信網からなる。無線端末３０は、無線通信網ＮＷ２に接続された、スマートフォンや携帯電話などの一般的な無線無線端末であり、無線通信網ＮＷ２を介して電話制御装置１０との間で通信回線を確立する。
【００２０】
［電話制御装置］
電話制御装置１０には、主な機能部として、網Ｉ／Ｆ部１１、内線Ｉ／Ｆ部１２、記憶部１３、および制御部１４が設けられている。
【００２１】
網Ｉ／Ｆ部１１は、通信用のインターフェース回路からなり、回線Ｌ１を介して電話網ＮＷ１との間で着信通知などの各種呼制御メッセージをやり取りする機能と、回線Ｌ１および電話網ＮＷ１を介して相手端末４０と通話音声をやり取りする機能と、回線Ｌ２を介して無線通信網ＮＷ２との間で発信要求などの各種呼制御メッセージをやり取りする機能と、回線Ｌ２および無線通信網ＮＷ２を介して無線端末３０との間でデータ通信を行う機能と、回線Ｌ２および無線通信網ＮＷ２を介して無線端末３０との間で通話音声をやり取りする機能とを有している。
【００２２】
この際、回線Ｌ１には、１つ以上の通話回線が含まれているものとし、これら通話回線は、アナログ電話回線であってもよくＩＰ回線やＩＳＤＮ回線などのデジタル回線であってもよい。
また、回線Ｌ２については、音声をアナログ通信でやり取りする場合、音声通信用のアナログ電話回線とデータ通信用のＩＰ回線とから回線Ｌ２を構成すればよい。なお、音声をデジタル通信でやり取りする場合、ＩＰ回線やＩＳＤＮ回線などのデジタル回線からなる１つの回線Ｌ２で構成することができる。また、網Ｉ／Ｆ部１１に無線通信機能を設けて無線通信網ＮＷ２と直接接続する無線回線により回線Ｌ２を構成し、無線端末３０と同様に、データ通信用と音声通信用の通信回線を回線Ｌ２で確立するようにしてもよい。
【００２３】
内線Ｉ／Ｆ部１２は、専用の通信回路からなり、内線回線２１を介して内線端末２０との間で、着信通知などの呼制御メッセージや通話音声などのデータをやり取りする機能を有している。
【００２４】
記憶部１３は、ハードディスクや半導体メモリなどの記憶装置からなり、制御部１４での制御処理に用いる処理データやプログラム１３Ｐを記憶する機能を有している。
プログラム１３Ｐは、制御部１４のＣＰＵに読み込まれて実行されることにより、各種処理部を実現するプログラムである。
記憶部１３で記憶する主な処理データとして、呼制御データ１３Ａがある。呼制御データ１３Ａは、回線Ｌ１，Ｌ２、内線端末２０、さらには無線端末３０について、各種動作状態を示すステータスデータや、各種設定内容を示す設定データなどからなる。
【００２５】
図２は、通話回線の回線状態を示すステータスデータの構成例である。ここでは、電話制御装置１０に収容されている各通話回線を識別するための回線ＩＤごとに、当該通話回線に関する、着信、発信、通話、保留、空きなどの各種回線状態が登録されている。
図３は、無線端末に関する設定データの構成例である。ここでは、無線端末３０を識別するための端末ＩＤごとに、当該無線端末３０の無線端末電話番号とＩＰアドレスとが、組として登録されている。
【００２６】
図４は、無線端末に関する在圏情報の構成例である。ここでは、無線端末３０を識別するための端末ＩＤごとに、当該無線端末３０が無線通信網ＮＷ２の無線通信圏内に位置するか否か、すなわち圏内／圏外を示す在圏情報が登録されている。この在圏情報については、後述する在圏確認部１４Ｃにより更新される。
【００２７】
制御部１４は、ＣＰＵとその周辺回路を有するコンピュータからなり、記憶部１３のプログラム１３Ｐを読み込んで実行することにより、各種処理部を実現して、電話制御装置１０のほか、内線端末２０や無線端末３０の動作を制御する機能を有している。
制御部１４で実現される主な処理部として、無線端末制御部１４Ａ、呼制御部１４Ｂ、および在圏確認部１４Ｃがある。
【００２８】
無線端末制御部１４Ａは、図２に示した、記憶部１３の呼制御データ１３Ａに登録されている通話回線の回線状態に基づいて、無線端末３０との間で、通話回線の回線状態などの各種データや、後述する着信問合せなどの各種メッセージをやり取りする機能を有している。
【００２９】
呼制御部１４Ｂは、電話制御装置１０に収容されている通話回線を用いた内線端末２０による発信、着信、保留、転送などの各種動作を呼制御する機能と、これら呼制御により通話回線の状態が変更された場合、図２に示した、記憶部１３の呼制御データ１３Ａに登録されている通話回線の回線状態を更新する機能とを有している。
【００３０】
また、呼制御部１４Ｂは、着信履歴を無線端末３０に記録するための機能群として、電話網ＮＷ１からの着信に応じて無線端末３０の呼び出しを開始する際、無線端末３０に当該着信を通知する呼出メッセージを、網Ｉ／Ｆ部１１から通信回線を用いて無線通信網ＮＷ２へ送信する機能と、この呼出メッセージに応じて当該無線端末３０での呼出中を示す呼出中メッセージが当該無線通信網ＮＷ２から返送される前に、電話網ＮＷ１から当該着信について着信中止が通知された場合、この後の当該呼出中メッセージの受信確認に応じて、当該無線端末３０の呼び出しを中止するための切断メッセージを当該無線通信網ＮＷ２へ送信する機能とを有している。
【００３１】
在圏確認部１４Ｃは、無線端末３０が無線通信網ＮＷ２の無線通信圏内に位置するか否かを確認する機能を有している。無線端末３０の在圏確認方法については、一般的な公知技術を用いればよい。
例えば、在圏確認部１４Ｃから網Ｉ／Ｆ部１１を介して無線端末３０へ呼出メッセージを送信し、この呼出メッセージの送信から一定の待ち時間が経過するまでの間に呼出中メッセージが返送されるか否かに応じて、圏内／圏外を判定すればよい。
【００３２】
また、電話制御装置１０が無線端末３０の管理サーバとして設定登録されている場合、無線端末３０から定期的に位置登録メッセージが通知されるため、在圏確認部１４Ｃが、この位置登録メッセージの受信状況に基づいて、圏内／圏外を判定すればよい。
また、無線通信網ＮＷ２の基地局が無線端末３０の管理サーバとして設定登録されている場合、在圏確認部１４Ｃが、当該基地局に問合せを行って、圏内／圏外を確認すればよい。
【００３３】
［無線端末］
次に、図５を参照して、本実施の形態にかかる無線端末３０について説明する。図５は、第１の実施の形態にかかる無線端末の構成を示すブロック図である。
この無線端末３０は、全体としてスマートフォンや携帯電話などの一般的な無線無線端末からなり、主な機能部として、無線Ｉ／Ｆ部３１、音声処理部３２、記憶部３３、制御部３４、操作入力部３５、および画面表示部３６が設けられている。
【００３４】
無線Ｉ／Ｆ部３１は、無線通信用のインターフェース回路からなり、無線通信網ＮＷ２を介して電話制御装置１０との間で通信回線を確立する機能を有している。
音声処理部３２は、スピーカおよびマイクを含み、無線Ｉ／Ｆ部３１により通信回線から受信した音声データを音声信号に復号してスピーカから出力する機能と、マイクから入力された音声信号を音声データに符号化して無線Ｉ／Ｆ部３１から通信回線へ出力する機能とを有している。
【００３５】
記憶部３３は、半導体メモリなどの記憶装置からなり、制御部３４での制御処理に用いる処理データやプログラム３３Ｐを記憶する機能を有している。
プログラム３３Ｐは、制御部３４のＣＰＵに読み込まれて実行されることにより、各種処理部を実現するプログラムである。
【００３６】
記憶部３３で記憶する主な処理データとして、呼制御データ３３Ａがある。呼制御データ３３Ａは、回線Ｌ１，Ｌ２や内線端末２０の動作状態を示すステータスデータや設定内容を示す設定データなどからなる。ステータスデータとしては、前述の図２に示したような、電話制御装置１０に収容されている各通話回線の回線状態を示すデータがある。このデータは、通信回線を用いて電話制御装置１０から通知されて記憶部３３に保存される。
【００３７】
制御部３４は、ＣＰＵとその周辺回路を有するコンピュータからなり、記憶部３３のプログラム３３Ｐを読み込んで実行することにより、各種処理部を実現して、無線端末３０の動作を制御する機能を有している。
制御部３４で実現される主な処理部として、回線制御部３４Ａおよび通話制御部３４Ｂがある。このうち、通話制御部３４Ｂは、一般的な無線端末３０に通話アプリケーションとして標準装備されている基本機能であるが、回線制御部３４Ａは基本機能ではない。このため、回線制御部３４Ａを無線端末３０に追加する追加アプリケーションで実現して、利用者にそのプログラムを提供するようにしてもよい。
【００３８】
回線制御部３４Ａは、通信回線を用いて電話制御装置１０との間で、通話回線の回線状態などの各種データや、後述する着信問合せなどの各種メッセージをやり取りする機能を有している。
通話制御部３４Ｂは、通信回線を介して電話制御装置１０と通話路を確立して、電話制御装置１０により中継接続された相手端末４０や内線端末２０との間で音声通話を実現する機能と、利用者操作に応じて記憶部３３に記録されている着信履歴や通話履歴を画面表示部３６で画面表示する機能とを有している。
【００３９】
操作入力部３５は、画面表示部３６の表示画面上に設けられたタッチパネルや、各種の操作スイッチなどの操作入力装置からなり、利用者の操作を検出して制御部３４へ出力する機能を有している。
画面表示部３６は、制御部３４から出力された回線状態画面、さらには着信履歴や通話履歴などの各種画面を表示する機能を有している。
【００４０】
［第１の実施の形態の動作］
次に、図６を参照して、本実施の形態にかかる電話制御装置１０および無線端末３０の動作について説明する。図６は、第１の実施の形態にかかる電話制御装置および無線端末の動作を示すシーケンス図である。
【００４１】
ここでは、無線通信網ＮＷ２での輻輳により、電話網ＮＷ１からの着信に応じた無線端末３０の呼び出しが遅れている間に、電話網ＮＷ１から着信中止が通知された状況において、当該着信の履歴を無線端末３０に記録するための着信履歴記録動作について説明する。なお、本発明では、無線通信網ＮＷ２を介して電話制御装置１０と無線端末３０との間でやり取りする呼制御メッセージは、ＳＩＰ（Session Initiation Protocol）に基づきやり取りされる場合を例として説明する。
【００４２】
電話制御装置１０の呼制御部１４Ｂは、網Ｉ／Ｆ部１１で検出した電話網ＮＷ１からの着信に応じて（ステップ１００）、無線端末３０を呼び出す場合、網Ｉ／Ｆ部１１から通信回線を介して無線通信網ＮＷ２へ、無線端末３０に着信を通知するための呼出メッセージ（ＩＮＶＩＴＥ）を送信する（ステップ１０１）。この呼出メッセージには、電話網ＮＷ１からの着信で通知された発信者情報が含まれている。
【００４３】
ここで、無線通信網ＮＷ２で輻輳が発生しており（ステップ１０２）、この呼出メッセージに応じて無線通信網ＮＷ２から無線端末３０へ通知される着信メッセージ（ＩＮＶＩＴＥ）の送信が遅れたものとする。
この遅れにより、無線端末３０へ送信した呼出メッセージに応じて、無線端末３０から呼出中メッセージ（１８０Ｒｉｎｇｉｎｇ）が返送される前に、当該着信の着信中止を示す切断メッセージが電話網ＮＷ１から通知された場合（ステップ１０３）、呼制御部１４Ｂは、無線端末３０から返送される呼出中メッセージ（１８０Ｒｉｎｇｉｎｇ）について受信待機する（ステップ１０４）。
【００４４】
この後、電話制御装置１０から送信した呼出メッセージに応じて、無線通信網ＮＷ２から通信回線を介して無線端末３０へ着信メッセージ（ＩＮＶＩＴＥ）が通知された場合（ステップ１１０）、無線端末３０の通話制御部３４Ｂは、通信回線を介して無線通信網ＮＷ２へ、当該無線端末３０が呼出中状態にあることを示す呼出中メッセージ（１８０Ｒｉｎｇｉｎｇ）を返送する（ステップ１１１）。
また、通話制御部３４Ｂは、無線通信網ＮＷ２からの着信メッセージに応じて、当該着信メッセージに含まれる発信者情報を用いた着信表示を画面表示部３６で行うとともに（ステップ１１２）、当該発信者情報を含む着信履歴を記憶部３３に記録する（ステップ１１３）。
【００４５】
電話制御装置１０の呼制御部１４Ｂは、網Ｉ／Ｆ部１１で無線通信網ＮＷ２からの呼出中メッセージの受信が確認された場合、網Ｉ／Ｆ部１１から通信回線を介して無線通信網ＮＷ２へ、電話網ＮＷ１からの着信中止に応じた切断メッセージ（Ｃａｎｃｅｌ）を送信する（ステップ１１４）。
無線端末３０の通話制御部３４Ｂは、この切断メッセージに応じて着信表示を終了し、これにより、一連の着信履歴記録動作が終了する。
【００４６】
［第１の実施の形態の効果］
このように、本実施の形態は、呼制御部１４Ｂが、電話網ＮＷ１からの着信に応じて、無線端末３０に当該着信を通知する呼出メッセージを、通信回線を用いて無線通信網ＮＷ２へ送信した後、この呼出メッセージに応じて当該無線端末３０での呼出中を示す呼出中メッセージが当該無線通信網ＮＷ２から返送される前に、電話網ＮＷ１から当該着信について着信中止が通知された場合には、この後の当該呼出中メッセージの受信確認に応じて、当該無線端末３０の呼び出しを中止するための切断メッセージを当該無線通信網ＮＷ２へ送信するようにしたものである。
【００４７】
これにより、電話網ＮＷ１からの着信中止に応じて直ちに無線端末３０に対して切断メッセージが送信されるのではなく、無線端末３０での呼出中状態を示す呼出中メッセージの受信確認に応じて切断メッセージが送信されて、当該着信の中止が無線端末３０に通知される。
したがって、無線端末３０では、無線通信網ＮＷ２からの着信メッセージに応じて、呼出中メッセージを返送するとともに着信履歴を記録した後、無線通信網ＮＷ２から切断メッセージが届くことになる。このため、電話網ＮＷ１からの着信中止に応じて無線端末３０の呼び出しを中止する場合でも、無線端末３０において当該着信の履歴を確実に記録させることが可能となる。
【００４８】
［第２の実施の形態］
次に、図７を参照して、本発明の第２の実施の形態について説明する。図７は、第２の実施の形態にかかる電話制御装置および無線端末の動作を示すシーケンス図である。
【００４９】
第１の実施の形態では、電話網ＮＷ１から着信に応じて呼出メッセージを無線端末３０に送信した後、電話網ＮＷ１から着信中止が通知された場合について説明した。本実施の形態では、電話網ＮＷ１からの着信時に無線端末３０が無線通信網ＮＷ２の圏外に位置していて呼出メッセージを送信できなかった状態で、電話網ＮＷ１から着信中止が通知された場合について説明する。
【００５０】
本実施の形態において、呼制御部１４Ｂは、電話網ＮＷ１からの着信時に無線端末３０が圏外に位置していて当該呼出メッセージの送信を中止した場合には、電話網ＮＷ１から着信中止が通知された後、網Ｉ／Ｆ部１１により当該無線端末３０との間で通信回線が確立された時点で、呼出メッセージを無線通信網ＮＷ２へ送信する機能と、これに応じた呼出中メッセージの受信確認に応じて切断メッセージを送信する機能とを有している。
【００５１】
また、呼制御部１４Ｂは、着信が通知された着信日時と、着信の通知から着信中止までの着信時間とを計時する機能と、電話網ＮＷ１からの着信中止の通知後に呼出メッセージを無線端末３０へ送信する際、これら着信日時および着信時間を当該呼出メッセージにより当該無線端末３０へ通知する機能を有している。なお、これら着信日時および着信時間に関する機能については、着信中止の通知後に呼出メッセージを無線端末３０へ送信する実施の形態、すなわち後述する第３および第４の実施の形態についても、同様に適用できる。
【００５２】
図７に示すように、電話制御装置１０の呼制御部１４Ｂは、網Ｉ／Ｆ部１１で検出した電話網ＮＷ１からの着信に応じて（ステップ２００）、無線端末３０を呼び出す場合、当該無線端末３０に呼出メッセージを送信する前に、在圏確認部１４Ｃにより当該無線端末３０の在圏有無を確認する（ステップ２０１）。
【００５３】
ここで、無線通信網ＮＷ２の圏外に位置することが確認された場合、呼制御部１４Ｂは、呼出メッセージの送信を中止し、当該着信に対する呼出エラー処理を実行する（ステップ２０２）。一般的な呼出エラー処理としては、ビジーメッセージを返送する処理のほか、圏外通知音声ガイダンスを相手端末４０へ送出する圏外通知処理や、相手メッセージを録音するメッセージ録音処理が実行される。
【００５４】
続いて、当該着信の着信中止を示す切断メッセージが電話網ＮＷ１から通知された場合（ステップ２０３）、呼制御部１４Ｂは、在圏確認部１４Ｃにより当該無線端末３０が圏内に位置することが確認されるまで待機する（ステップ２０４）。
【００５５】
この後、在圏確認部１４Ｃにより当該無線端末３０が圏内に位置することが確認された場合（ステップ２１０）、呼制御部１４Ｂは、先の着信を無線端末３０へ通知するための呼出メッセージ（ＩＮＶＩＴＥ）を、網Ｉ／Ｆ部１１から通信回線を介して無線通信網ＮＷ２へ送信する（ステップ２１１）。
この際、呼制御部１４Ｂは、電話網ＮＷ１から着信が通知された着信日時と、この着信の通知から着信中止までの着信時間とを計時し、これら着信日時および着信時間を当該呼出メッセージに含めて当該無線端末３０へ通知する。
【００５６】
無線端末３０の通話制御部３４Ｂは、電話制御装置１０から送信した呼出メッセージに応じて、無線通信網ＮＷ２から通信回線を介して無線端末３０へ、着信メッセージ（ＩＮＶＩＴＥ）が通知された場合（ステップ２１２）、通信回線を介して無線通信網ＮＷ２へ、呼出中メッセージ（１８０Ｒｉｎｇｉｎｇ）を返送する（ステップ２１３）。
【００５７】
また、通話制御部３４Ｂは、無線通信網ＮＷ２からの着信メッセージに応じて、当該着信メッセージに含まれる発信者情報を用いた着信表示を画面表示部３６で行うとともに（ステップ２１４）、当該発信者情報を含む着信履歴を記憶部３３に記録する（ステップ２１５）。
図８は、無線端末で記録される着信履歴の構成例である。ここでは、着信呼ごとに、着信日時、着信時間、発信者電話番号、発信者名称が組として記録されている。
【００５８】
電話制御装置１０の呼制御部１４Ｂは、網Ｉ／Ｆ部１１で無線通信網ＮＷ２からの呼出中メッセージの受信が確認された場合、網Ｉ／Ｆ部１１から通信回線を介して無線通信網ＮＷ２へ、電話網ＮＷ１からの着信中止に応じた切断メッセージ（Ｃａｎｃｅｌ）を送信する（ステップ２１６）。
無線端末３０の通話制御部３４Ｂは、この切断メッセージに応じて着信表示を終了し、これにより、一連の着信履歴記録動作が終了する。
【００５９】
［第２の実施の形態の効果］
このように、本実施の形態は、呼制御部１４Ｂが、電話網ＮＷ１からの着信時に無線端末３０が圏外に位置していて当該呼出メッセージの送信を中止した場合には、着信中止が通知された後、網Ｉ／Ｆ部１１により当該無線端末３０との間で通信回線が確立された時点で、呼出メッセージを無線通信網ＮＷ２へ送信し、これに応じた呼出中メッセージの受信確認に応じて切断メッセージを送信するようにしたものである。
【００６０】
これにより、無線端末３０が圏外に位置している際に、電話網ＮＷ１から着信中止が通知された場合には、無線端末３０が圏内に戻った時点で呼出メッセージが送信され、これに応じた呼出中メッセージの受信が確認された後、切断メッセージが送信される。
したがって、無線端末３０では、無線通信網ＮＷ２からの着信メッセージに応じて、呼出中メッセージを返送するとともに着信履歴を記録した後、無線通信網ＮＷ２から切断メッセージが届くことになる。このため、電話網ＮＷ１からの着信中止に応じて無線端末３０の呼び出しを中止する場合でも、無線端末３０において当該着信の履歴を確実に記録させることが可能となる。
【００６１】
［第３の実施の形態］
次に、図９を参照して、本発明の第３の実施の形態について説明する。図９は、第３の実施の形態にかかる電話制御装置および無線端末の動作を示すシーケンス図である。
【００６２】
第１の実施の形態では、呼出メッセージを無線端末３０に送信した後、電話網ＮＷ１から着信中止が通知された場合について説明した。本実施の形態では、無線端末３０が話中状態であって呼出メッセージの送信を中止した状態で、電話網ＮＷ１から着信中止が通知された場合について説明する。
【００６３】
本実施の形態において、呼制御部１４Ｂは、電話網ＮＷ１からの着信時に無線端末３０が当該電話制御装置１０を介して通話中であり呼出メッセージの送信を中止した場合には、電話網ＮＷ１から着信中止が通知された後、当該無線端末３０の通話が終了した時点で、呼出メッセージを当該無線端末３０へ送信する機能と、これに応じた呼出中メッセージの受信確認に応じて切断メッセージを送信する機能とを有している。
【００６４】
図９に示すように、電話制御装置１０の呼制御部１４Ｂは、網Ｉ／Ｆ部１１で検出した電話網ＮＷ１からの着信に応じて（ステップ３００）、無線端末３０を呼び出す場合、当該無線端末３０に呼出メッセージを送信する前に、記憶部３３の呼制御データ３３Ａを参照して、当該無線端末３０の通話状態を確認する（ステップ３０１）。
【００６５】
ここで、当該無線端末３０が電話制御装置１０を介して通話中の場合、呼制御部１４Ｂは、呼出メッセージの送信を中止し、当該着信に対する呼出エラー処理を実行する（ステップ３０２）。一般的な呼出エラー処理としては、ビジーメッセージを返送する処理のほか、話中通知音声ガイダンスを相手端末４０へ送出する話中通知処理や、相手メッセージを録音するメッセージ録音処理が実行される。
【００６６】
続いて、当該着信の着信中止を示す切断メッセージが電話網ＮＷ１から通知された場合（ステップ３０３）、呼制御部１４Ｂは、無線端末３０の通話について終話が確認されるまで待機する（ステップ３０４）。
【００６７】
この後、当該無線端末３０の通話が終了したことが確認された場合（ステップ３１０）、呼制御部１４Ｂは、先の着信を無線端末３０へ通知するための呼出メッセージ（ＩＮＶＩＴＥ）を、網Ｉ／Ｆ部１１から通信回線を介して無線通信網ＮＷ２へ送信する（ステップ３１１）。
【００６８】
無線端末３０の通話制御部３４Ｂは、電話制御装置１０から送信した呼出メッセージに応じて、無線通信網ＮＷ２から通信回線を介して無線端末３０へ、着信メッセージ（ＩＮＶＩＴＥ）が通知された場合（ステップ３１２）、通信回線を介して無線通信網ＮＷ２へ、呼出中メッセージ（１８０Ｒｉｎｇｉｎｇ）を返送する（ステップ３１３）。
【００６９】
また、通話制御部３４Ｂは、無線通信網ＮＷ２からの着信メッセージに応じて、当該着信メッセージに含まれる発信者情報を用いた着信表示を画面表示部３６で行うとともに（ステップ３１４）、当該発信者情報を含む着信履歴を記憶部３３に記録する（ステップ３１５）。
【００７０】
電話制御装置１０の呼制御部１４Ｂは、網Ｉ／Ｆ部１１で無線通信網ＮＷ２からの呼出中メッセージの受信が確認された場合、網Ｉ／Ｆ部１１から通信回線を介して無線通信網ＮＷ２へ、電話網ＮＷ１からの着信中止に応じた切断メッセージ（Ｃａｎｃｅｌ）を送信する（ステップ３１６）。
無線端末３０の通話制御部３４Ｂは、この切断メッセージに応じて着信表示を終了し、これにより、一連の着信履歴記録動作が終了する。
【００７１】
［第３の実施の形態の効果］
このように、本実施の形態は、呼制御部１４Ｂが、電話網ＮＷ１からの着信時に無線端末３０が当該電話制御装置１０を介して通話中であり呼出メッセージの送信を中止した場合には、着信中止が通知された後、当該無線端末３０の通話が終了した時点で、呼出メッセージを当該無線端末３０へ送信し、これに応じた呼出中メッセージの受信確認に応じて切断メッセージを送信するようにしたものである。
【００７２】
これにより、無線端末３０が電話制御装置１０を介して通話している際に、電話網ＮＷ１から着信中止が通知された場合には、無線端末３０の通話が終了した時点で呼出メッセージが送信され、これに応じた呼出中メッセージの受信が確認された後、切断メッセージが送信される。
したがって、無線端末３０では、無線通信網ＮＷ２からの着信メッセージに応じて、呼出中メッセージを返送するとともに着信履歴を記録した後、無線通信網ＮＷ２から切断メッセージが届くことになる。このため、電話網ＮＷ１からの着信中止に応じて無線端末３０の呼び出しを中止する場合でも、無線端末３０において当該着信の履歴を確実に記録させることが可能となる。
【００７３】
［第４の実施の形態］
次に、図１０を参照して、本発明の第４の実施の形態について説明する。図１０は、第４の実施の形態にかかる電話制御装置および無線端末の動作を示すシーケンス図である。
【００７４】
第１の実施の形態では、呼出メッセージを無線端末３０に送信した後、電話網ＮＷ１から着信中止が通知された場合について説明した。本実施の形態では、無線端末３０から話中が通知された状態で、電話網ＮＷ１から着信中止が通知された場合について説明する。
【００７５】
本実施の形態において、呼制御部１４Ｂは、電話網ＮＷ１からの着信に応じて無線端末３０へ送信した呼出メッセージに応じて、無線通信網ＮＷ２から当該無線端末３０が通話中であることを示す話中メッセージを受信した場合には、電話網ＮＷ１から着信中止が通知された後、通信回線を介して当該無線端末３０から着信問合せメッセージが通知された時点で、当該無線端末３０に着信を通知する新たな呼出メッセージを無線通信網ＮＷへ送信する機能と、これに応じた呼出中メッセージの受信確認に応じて切断メッセージを送信する機能とを有している。
【００７６】
図１０に示すように、電話制御装置１０の呼制御部１４Ｂは、網Ｉ／Ｆ部１１で検出した電話網ＮＷ１からの着信に応じて（ステップ４００）、無線端末３０を呼び出す場合、網Ｉ／Ｆ部１１から通信回線を介して無線通信網ＮＷ２へ呼出メッセージ（ＩＮＶＩＴＥ）を送信する（ステップ４０１）。
ここで、無線端末３０が電話制御装置１０を経由せずに、無線通信網ＮＷ２を介して他の端末と通話中である場合（ステップ４０２）、無線通信網ＮＷ２から話中メッセージが返送される（ステップ４０３）。
【００７７】
この話中メッセージに応じて、呼制御部１４Ｂは、当該着信に対する呼出エラー処理を実行する（ステップ４０４）。一般的な呼出エラー処理としては、ビジーメッセージを返送する処理のほか、話中通知音声ガイダンスを相手端末４０へ送出する話中通知処理や、相手メッセージを録音するメッセージ録音処理が実行される。
【００７８】
続いて、当該着信の着信中止を示す切断メッセージが電話網ＮＷ１から通知された場合（ステップ４０５）、呼制御部１４Ｂは、無線端末３０の通話が終了して、無線端末３０から着信問合せが通知されるまで待機する（ステップ４０６）。
【００７９】
この後、無線端末３０の通話が終話して（ステップ４１０）、無線端末３０の回線制御部３４Ａにより、通信回線を介して送信された着信問合せメッセージが、無線端末制御部１４Ａにより確認された場合（ステップ４１１）、呼制御部１４Ｂは、先の着信を無線端末３０へ通知するための呼出メッセージ（ＩＮＶＩＴＥ）を、網Ｉ／Ｆ部１１から通信回線を介して無線通信網ＮＷ２へ送信する（ステップ４１２）。
【００８０】
無線端末３０の通話制御部３４Ｂは、電話制御装置１０から送信した呼出メッセージに応じて、無線通信網ＮＷ２から通信回線を介して無線端末３０へ、着信メッセージ（ＩＮＶＩＴＥ）が通知された場合（ステップ４１３）、通信回線を介して無線通信網ＮＷ２へ、呼出中メッセージ（１８０Ｒｉｎｇｉｎｇ）を返送する（ステップ４１４）。
【００８１】
また、通話制御部３４Ｂは、無線通信網ＮＷ２からの着信メッセージに応じて、当該着信メッセージに含まれる発信者情報を用いた着信表示を画面表示部３６で行うとともに（ステップ４１５）、当該発信者情報を含む着信履歴を記憶部３３に記録する（ステップ４１６）。
【００８２】
電話制御装置１０の呼制御部１４Ｂは、網Ｉ／Ｆ部１１で無線通信網ＮＷ２からの呼出中メッセージの受信が確認された場合、網Ｉ／Ｆ部１１から通信回線を介して無線通信網ＮＷ２へ、電話網ＮＷ１からの着信中止に応じた切断メッセージ（Ｃａｎｃｅｌ）を送信する（ステップ４１７）。
無線端末３０の通話制御部３４Ｂは、この切断メッセージに応じて着信表示を終了し、これにより、一連の着信履歴記録動作が終了する。
【００８３】
［第４の実施の形態の効果］
このように、本実施の形態は、呼制御部１４Ｂが、電話網ＮＷ１からの着信に応じて無線端末３０へ送信した呼出メッセージに応じて、無線通信網ＮＷ２から当該無線端末３０が通話中であることを示す話中メッセージを受信した場合には、着信中止が通知された後、通信回線を介して当該無線端末３０から着信問合せメッセージが通知された時点で、当該無線端末３０に着信を通知する新たな呼出メッセージを無線通信網ＮＷ２へ送信し、これに応じた呼出中メッセージの受信確認に応じて切断メッセージを送信するようにしたものである。
【００８４】
これにより、無線端末３０が電話制御装置１０を介さずに通話している際に、電話網ＮＷ１から着信中止が通知された場合には、無線端末３０からの着信問合せメッセージに応じて新たな呼出メッセージが送信され、これに応じた呼出中メッセージの受信が確認された後、切断メッセージが送信される。
したがって、無線端末３０では、無線通信網ＮＷ２からの着信メッセージに応じて、呼出中メッセージを返送するとともに着信履歴を記録した後、無線通信網ＮＷ２から切断メッセージが届くことになる。このため、電話網ＮＷ１からの着信中止に応じて無線端末３０の呼び出しを中止する場合でも、無線端末３０において当該着信の履歴を確実に記録させることが可能となる。
【００８５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００８６】
１…電話システム、１０…電話制御装置、１１…網Ｉ／Ｆ部１１、１２…内線Ｉ／Ｆ部、１３…記憶部、１３Ａ…呼制御データ、１３Ｐ…プログラム、１４…制御部、１４Ａ…無線端末制御部、１４Ｂ…呼制御部、１４Ｃ…在圏確認部、２０…内線端末、２１…内線回線、３０…無線端末、３１…無線Ｉ／Ｆ部、３２…音声処理部、３３…記憶部、３３Ａ…呼制御データ、３３Ｐ…プログラム、３４…制御部、３４Ａ…回線制御部、３４Ｂ…通話制御部、３５…操作入力部、３６…画面表示部、４０…相手端末、ＮＷ１…電話網、ＮＷ２…無線通信網、Ｌ１，Ｌ２…回線。
【図１】
2014120970.tif 000003
【図２】
2014120970.tif 000004
【図３】
2014120970.tif 000005
【図４】
2014120970.tif 000006
【図５】
2014120970.tif 000007
【図６】
2014120970.tif 000008
【図７】
2014120970.tif 000009
【図８】
2014120970.tif 000010
【図９】
2014120970.tif 000011
【図１０】
2014120970.tif 000012